(57)【要約】【課題】パッケージの開口を閉じやすくする。【解決手段】パッケージ１０は、Ｘ軸およびＹ軸の双方に沿って延在するとともにＺ軸に沿う方向の一側に配置された本体底面部２１を有し、Ｘ軸に沿う方向の一側に開口９が配置された本体部２０と、Ｘ軸およびＹ軸の双方に沿って延在するとともにＺ軸に沿う方向の一側に配置された蓋底面部３１を有し、本体部２０に対してＸ軸に沿う方向の一側に連設され、開口９を開閉する蓋部３０と、本体部２０に対して蓋部３０を回動自在に連設し、本体底面部２１と蓋底面部３１との間に配置され、Ｙ軸に沿う方向の軸心まわりの回動軸をなすヒンジ罫線Ｒと、を備え、ヒンジ罫線Ｒは、Ｘ軸に沿う方向に凸の曲線状をなす。【選択図】図１
2019206354.tif 000002
【特許請求の範囲】
【請求項１】
開口が閉鎖された閉状態と前記開口が開放された開状態とに切替可能であり、互いに直交する三つの座標軸としてＸ軸，Ｙ軸およびＺ軸をもつ座標系において前記座標軸のそれぞれに沿った辺をもつ直方体の表面に沿った形状を前記閉状態でなすパッケージであって、
前記Ｘ軸および前記Ｙ軸の双方に沿って延在するとともに前記Ｚ軸に沿う方向の一側に配置された本体底面部を有し、前記Ｘ軸に沿う方向の一側に前記開口が配置された本体部と、
前記Ｘ軸および前記Ｙ軸の双方に沿って延在するとともに前記Ｚ軸に沿う方向の一側に配置された蓋底面部を有し、前記本体部に対して前記Ｘ軸に沿う方向の一側に連設され、前記開口を開閉する蓋部と、
前記本体部に対して前記蓋部を回動自在に連設し、前記本体底面部と前記蓋底面部との間に配置され、前記Ｙ軸に沿う方向の軸心まわりの回動軸をなすヒンジ罫線と、を備え、
前記ヒンジ罫線は、前記Ｘ軸に沿う方向に凸の曲線状をなす
ことを特徴とするパッケージ。
【請求項２】
前記本体部は、前記Ｘ軸および前記Ｙ軸の双方に沿って延在するとともに前記Ｚ軸に沿う方向の他側に配置された本体天面部を有し、
前記蓋部は、前記Ｘ軸および前記Ｙ軸の双方に沿って延在するとともに前記Ｚ軸に沿う方向の他側に配置された蓋天面部を有し、
前記本体天面部と前記蓋天面部とを有し、前記直方体のうち前記Ｘ軸および前記Ｙ軸の双方に沿って延在するとともに前記Ｚ軸に沿う方向の他側に配置された箱天面部を備え、
前記箱天面部は、前記本体天面部と前記蓋天面部との間が断続的に切り込まれたジッパ部と、前記Ｚ軸に沿う方向に貫通する穴部とを有し、
前記穴部は、前記閉状態において前記蓋天面部で被覆される
ことを特徴とする請求項１に記載されたパッケージ。
【請求項３】
前記ジッパ部は、前記Ｚ軸に沿う方向から見て、前記箱天面部において前記Ｙ軸に沿う方向の端縁部から中央部に向かうにつれて前記Ｘ軸に沿う方向の他側に位置する曲線状をなす
ことを特徴とする請求項２に記載されたパッケージ。
【請求項４】
前記ジッパ部は、前記穴部に対して前記Ｘ軸に沿う方向の一側に配置された
請求項２または３に記載されたパッケージ。
【請求項５】
前記穴部は、前記Ｘ軸に沿う方向の他側が前記Ｙ軸に沿う方向に延在する輪郭を有する
ことを特徴とする請求項２〜４の何れか１項に記載されたパッケージ。
【請求項６】
前記ジッパ部のうち前記Ｘ軸に沿う方向の一側の端部は、回動する前記蓋部に摺接する
ことを特徴とする請求項２〜５の何れか１項に記載されたパッケージ。
【発明の詳細な説明】
【技術分野】
【０００１】
本発明は、チョコレートやビスケットといった物品のパッケージに関する。
【背景技術】
【０００２】
従来、本体部の開口を開閉する蓋部の設けられた箱の一つとして、本体部に対して連設された蓋部を回動することで開口を開閉するヒンジリッド型のパッケージが知られている。すなわち、回動軸として機能するヒンジ罫線を介して本体部と蓋部とが連設されたパッケージである。
【０００３】
たとえば、本体部と蓋部とを連設するヒンジ罫線（ヒンジ折目）が直線状のパッケージが提案されている（特許文献１参照）。
【先行技術文献】
【特許文献】
【０００４】
【特許文献１】特許第4055111号公報
【発明の概要】
【発明が解決しようとする課題】
【０００５】
しかしながら、上述したように本体部と蓋部とを連設するヒンジ罫線が直線状のパッケージでは、蓋部の閉じ方向への反発力が確保されず開口を閉鎖し難いおそれがある。
よって、パッケージの開口を閉じやすくするうえで改善の余地がある。
【０００６】
本件のパッケージは、上記のような課題に鑑みて創案されたものであり、開口を閉じやすくすることを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００７】
ここで開示するパッケージは、開口が閉鎖された閉状態と前記開口が開放された開状態とに切替可能であり、互いに直交する三つの座標軸としてＸ軸，Ｙ軸およびＺ軸をもつ座標系において前記座標軸のそれぞれに沿った辺をもつ直方体の表面に沿った形状を前記閉状態でなす。
本パッケージは、前記Ｘ軸および前記Ｙ軸の双方に沿って延在するとともに前記Ｚ軸に沿う方向の一側に配置された本体底面部を有し、前記Ｘ軸に沿う方向の一側に前記開口が配置された本体部と、前記Ｘ軸および前記Ｙ軸の双方に沿って延在するとともに前記Ｚ軸に沿う方向の一側に配置された蓋底面部を有し、前記本体部に対して前記Ｘ軸に沿う方向の一側に連設され、前記開口を開閉する蓋部と、前記本体部に対して前記蓋部を回動自在に連設し、前記本体底面部と前記蓋底面部との間に配置され、前記Ｙ軸に沿う方向の軸心まわりの回動軸をなすヒンジ罫線と、を備え、前記ヒンジ罫線は、前記Ｘ軸に沿う方向に凸の曲線状をなす。
【発明の効果】
【０００８】
本件によれば、パッケージの開口を閉じやすくすることができる。
【図面の簡単な説明】
【０００９】
【図１】開口が開放された状態のパッケージを示す斜視図である。
【図２】開口が閉鎖された状態のパッケージを示す斜視図である。
【図３】パッケージの展開した状態のシート材の一例を示す平面図である。
【発明を実施するための形態】
【００１０】
以下、実施形態としてのパッケージを説明する。
本実施形態のパッケージは、チョコレートやビスケットをはじめとした種々の物品を収容し、かかる物品を包装する箱である。
このパッケージは、開口が本体部に設けられ、本体部に対して回動自在に連設された蓋部で開口が開閉される。すなわち、パッケージは、開口が開放された状態（以下「開状態」と称する）と開口が閉鎖された状態（以下「開状態」と称する）とが切替可能に設けられている。
【００１１】
下記の実施形態では、パッケージの説明で用いる方向の基準として、互いに直交する三つの座標軸としてＸ軸，Ｙ軸およびＺ軸をもつ座標系（直交座標系）を用いる。
この座標系において、Ｘ軸に沿う方向を「Ｘ方向」と称し、Ｙ軸に沿う方向を「Ｙ方向」と称し、Ｚ軸に沿う方向を「Ｚ方向」と称する。
たとえば、Ｘ方向は、Ｘ軸の負から正に向かう方向とＸ軸の正から負に向かう方向とが互いに反対を向き、二種の方向を内在する。そこで、Ｘ方向について、一方を「Ｘ1方向」と称し、他方を「Ｘ2方向」と称する。同様に、Ｙ方向について、一方を「Ｙ1方向」と称し、他方を「Ｙ2方向」と称する。Ｚ方向についても、一方を「Ｚ1方向」と称し、他方を「Ｚ2方向」と称する。
【００１２】
また、Ｘ方向およびＹ方向の双方に沿う平面を「ＸＹ平面」と称し、Ｙ方向およびＺ方向の双方に沿う平面を「ＹＺ平面」と称し、Ｘ方向およびＺ方向の双方に沿う平面を「ＸＺ平面」と称する。
そのほか、パッケージは、平面状のシート材（ブランクシート）から組み立てられる。このシート材には、所定の形状に切り取られたシート状の包装資材が用いられる。この包装資材としては、厚紙や樹脂板などが挙げられる。なお、シート材の各構成については、パッケージにおいて対応する各構成と同様の符号および名称で示す。
【００１３】
［Ｉ．一実施形態］
［１．構成］
以下に述べる一実施形態では、項目［１］で構成を述べる。この項目［１］では、小項目［１．１］でパッケージの構成を説明し、小項目［１．２］でパッケージに組み立てられるシート材の構成を説明する。そして、項目［２］で項目［１］の構成による作用および効果を述べる。
【００１４】
［１．１．パッケージ］
図１に示すように、パッケージ１０は、開状態において、物品の取り出し口をなす開口９が開放される。
パッケージ１０には、開口９の設けられた本体部２０と、開口９を開閉する蓋部３０と、本体部２０に対して蓋部３０を回動自在に連設するヒンジ罫線Ｒとが設けられている。
【００１５】
本体部２０は、開口９がＸ1方向側（一側）に配置された四角筒状をなす。この本体部２０は、開状態および閉状態の双方で、物品のうちＸ2方向側（他側）の大部分を収容する。
蓋部３０は、Ｘ2方向側（他側）の開口９に臨んで配置され、本体部２０に対してＸ1方向側に配置された四角筒状をなす。この蓋部３０は、閉状態で物品のうちＸ1方向側の一部を収容する。
【００１６】
図２に示すように、パッケージ１０は、閉状態において、開口９（図１参照）が閉鎖され、物品が内部に収容される。さらに、Ｘ方向，Ｙ方向およびＺ方向のそれぞれに沿った辺をもつ直方体の表面に沿った形状をなす。すなわち、パッケージ１０は、箱底面部１，箱天面部２，箱前面部３，箱後面部４，箱左面部５，箱右面部６の六つに大別される。
【００１７】
箱底面部１および箱天面部２は、ＸＹ平面に沿って配置される。パッケージ１０において、Ｚ1方向側（一側）に箱底面部１が配置され、Ｚ2方向側（他側）に箱天面部２が配置される。
箱前面部３および箱後面部４は、ＹＺ平面に沿って配置される。パッケージ１０において、Ｘ1方向側に箱前面部３が配置され、Ｘ2方向側に箱後面部４が配置される。
【００１８】
箱左面部５および箱右面部６は、ＸＺ平面に沿って配置される。パッケージ１０において、Ｙ1方向側（一側）に箱右面部６が配置され、Ｙ2方向側（他側）に箱左面部５が配置される。
なお、ここで例示するパッケージ１０は、Ｙ方向対称に設けられている。
上記の面部１〜６のうち少なくともＸ方向に延在する箱底面部１，箱天面部２，箱左面部５および箱右面部６は、Ｘ2方向側の部位が箱後面部４とともに本体部２０を構成し、Ｘ1方向側の部位が箱前面部３とともに蓋部３０を構成する。
【００１９】
そこで、面部１〜６のうち本体部２０を構成する部位については、面部１〜６の各名称に冠された「箱」を「本体」に置換するとともに「２０」を加算した符号で示す。
具体的に言えば、「箱底面部１」，「箱天面部２」，「箱左面部５」および「箱右面部６」のうちＸ2方向側の部位については、「本体底面部２１」，「本体天面部２２」，「本体左面部２５」および「本体右面部２６」と示す。また、本体部２０をなす「箱後面部４」を「本体後面部２４」と示す。
【００２０】
上記の本体部２０にかかる名付けと同様に、蓋部３０を構成する部位についても、面部１〜６の各名称に冠された「箱」を「蓋」に置換するとともに「３０」を加算した符号で示す。
具体的に言えば、「箱底面部１」，「箱天面部２」，「箱左面部５」および「箱右面部６」のうちＸ1方向側の部位については、「蓋底面部３１」，「蓋天面部３２」，「蓋左面部３５」および「蓋右面部３６」と示す。また、蓋部３０をなす「箱前面部３」を「蓋前面部３３」と示す。
【００２１】
図１に示すように、本体部２０に対する蓋部３０の連設は、ヒンジ罫線Ｒが担う。ヒンジ罫線Ｒは、本体底面部２１と蓋底面部３１との間に配置され、箱底面部１においてＹ方向に沿って設けられる。このヒンジ罫線Ｒは、Ｙ方向の軸心まわりの回動軸をなし、本体部２０に対する蓋部３０の回動軸をなす。このようなヒンジ罫線Ｒを介して、本体底面部２１と蓋底面部３１とが連設される。
【００２２】
本実施形態のヒンジ罫線Ｒは、Ｘ1方向（Ｘ方向）に凸の曲線状に設けられている。
上記のような凸形状をなすヒンジ罫線Ｒは、Ｙ方向に沿って直線状に設けられたヒンジ罫線と比較して、本体底面部２１に対する蓋底面部３１を開状態から閉状態へ付勢する反発力が大きくなる傾向にある。
ここでは、ヒンジ罫線ＲにおけるＹ方向の端部Ｒｅに対してＹ方向の中心部Ｒｃが２ｍｍ〜３ｍｍだけＸ1方向側に配置されている。
【００２３】
なお、パッケージ１０が一度も開封されたことのない未開封状態では、図２に示すように、箱天面部２において断続的に切り込まれたジッパ部ＪのつなぎＪ0によって、本体天面部２２と蓋天面部３２とが部分的に連設される。すなわち、本体天面部２２と蓋天面部３２との間にジッパ部Ｊが配置される。
同様に、箱左面部５，箱右面部６における断続的な切込部ＣのつなぎＣ0によって本体左面部２５，本体右面部２６と蓋左面部３５，蓋右面部３６とが部分的に連設され、本体左面部２５，本体右面部２６と蓋左面部３５，蓋右面部３６との間に切込部Ｃが配置される。
【００２４】
ジッパ部Ｊは、Ｚ方向視で、箱天面部２におけるＹ方向の端縁部２ＥからＹ方向の中央部２Ｃに向かうにつれて、Ｘ2方向側に位置する曲線状をなす。このジッパ部Ｊは、直線状の部位が形成されておらず、全てが曲線状に延設される。そのため、ジッパ部Ｊは、Ｙ方向の端縁部２Ｅに向かうほどＸ1方向側に位置する連続的な曲線状をなしている。
そのほか、Ｘ1方向へ向けて（端縁部２Ｅへ向けて）破断される切れ込みの向きがジッパ部Ｊに設定されている。
【００２５】
上記のジッパ部ＪにおけるＹ方向の端部（図２に符号「Ｐ」で示す）は、切込部ＣにおけるＺ2方向側の端部（図２に符号「Ｐ」で示す）とＸ方向位置が一致するように設けられる。端部ＰのＸ方向位置は、回動する蓋部３０と摺接する位置に設定される。
切込部Ｃは、Ｙ方向視で、箱左面部５，箱右面部６においてＺ2方向側に向かうほどＸ1方向側に位置する。この切込部Ｃは、直線状であってもよいし曲線状であってもよい。
【００２６】
上記の切込部Ｃ，ジッパ部ＪのつなぎＣ0，Ｊ0によって、未開封状態における閉状態が保持される。
未開封状態から初めて開口９が開放されるときには、蓋部３０の回動にともなってジッパ部ＪのつなぎＪ0が破断され、それから、切込部ＣのつなぎＣ0が破断される。その後の状態（以下「開封済状態」と称する）では、蓋部３０の回動だけで開口９が開閉される。
【００２７】
本体底面部２１および蓋底面部３１ならびにヒンジ罫線Ｒは、箱底面部１において一体に設けられる。一方、開封済状態では、ジッパ部ＪのつなぎＪ0が破断されていることから、本体天面部２２と蓋天面部３２とが別体をなす。同様に、開封済状態では、切込部ＣのつなぎＣ0が破断されていることから、本体左面部２５と蓋左面部３５とが別体をなし、本体右面部２６と蓋右面部３６とが別体をなす。
上記のヒンジ罫線Ｒならびに破断されたジッパ部Ｊおよび切込部Ｃは、開状態で開口９の輪郭をなし、本体部２０と蓋部３０とを区分する。
【００２８】
本パッケージ１０では、ジッパ部Ｊや切込部Ｃを外側から覆うように蓋部３０が設けられている。言い換えれば、閉状態において開口９の輪郭を被覆するオーバーフラップ型の蓋部３０が採用されている。
この蓋部３０は、ジッパ部Ｊや切込部ＣよりもＸ1方向側の部位が二重のシート材で形成される。詳細に言えば、蓋部３０には、ジッパ部Ｊや切込部Ｃに対してＸ1方向側に内側のシート材が配置され、ジッパ部Ｊや切込部ＣをＸ2方向側に跨いで外側のシート材が配置される。閉状態では、蓋部３０において外側のシート材が内側のシート材に対してＸ2方向側に延出する部位が本体部２０の外側に重合する。
【００２９】
さらに、本パッケージ１０には、箱天面部２に穴部Ｈが設けられている。
穴部Ｈは、箱天面部２をＺ方向に貫通し、閉状態で蓋部３０に被覆される。すなわち、本体天面部２２と蓋天面部３２との間には、Ｙ方向の端部側に上記のジッパ部Ｊが配置されるほか、Ｙ方向の中央側に穴部Ｈが配置される。
【００３０】
ここでは、穴部Ｈよりもジッパ部ＪのほうがＸ1方向側に配置される。反対に言うと、ジッパ部Ｊよりも穴部ＨのほうがＸ2方向側に配置される。
この穴部Ｈは、Ｚ方向視において、Ｘ1方向側の上底よりもＸ2方向側の下底のほうが短い台形状に形成される。この下底に着目して言えば、穴部ＨのＸ2方向側では、Ｙ方向に沿う直線部Ｓが穴部Ｈの輪郭の一部をなしている。
【００３１】
［１．２．シート材］
つぎに、図３を参照して、上記のパッケージ１０に組み立てられるシート材１０Ｓの構成を説明する。
このシート材１０Ｓには、箱天面部２，箱後面部４，箱底面部１，箱前面部３，蓋天面部３２のうち外側のシート材をなす外面部３２０がこの順に並んで連設されている。この連設方向に対して直交する方向に、箱左面部５および箱右面部６が延出して設けられている。
【００３２】
箱天面部２と箱後面部４との間には後上罫線ＬBUが設けられ、箱後面部４と箱底面部１との間には後下罫線ＬBDが設けられる。箱底面部１と箱前面部３との間には前下罫線ＬFDが設けられ、箱前面部３と外面部３２０との間には前上罫線ＬFUが設けられる。
これらの罫線ＬBU，ＬBD，ＬFD，ＬFUは、連設方向に対して直交する方向に延び、パッケージ１０に組み立てられた状態でＹ方向に沿う端縁（直方体においてＹ方向に沿う辺）をなす。
【００３３】
箱底面部１には、連設方向に対して直交する方向に箱左面部５および箱右面部６が延出するように連設されている。同様に、箱天面部２にも、連設方向に対して直交する方向に箱左面部５および箱右面部６が延出するように連設されている。外面部３２０からも、連設方向に対して直交する方向に箱左面部５および箱右面部６が延出するように連設されている。
【００３４】
箱底面部１に対して、箱左面部５との間に左下罫線ＬLDが設けられ、箱右面部６との間に右下罫線ＬRDが設けられる。また、箱天面部２に対して、箱左面部５との間に左上罫線ＬLUが設けられ、箱右面部６との間に右上罫線ＬRUが設けられる。さらに、外面部３２０に対して、箱左面部５との間に左上罫線ＬLU2が設けられ、箱右面部６との間に右上罫線ＬRU2が設けられる。
【００３５】
これらの罫線ＬLD，ＬRD，ＬLU，ＬRU，ＬLU2，ＬRU2は、連設方向に延び、パッケージ１０に組み立てられた状態でＸ方向に沿う端縁（直方体においてＸ方向に沿う辺）をなす。
ここでは、箱底面部１に連設された面部５，６が箱天面部２および外面部３２０に連設された面部５，６の内側に貼合され、箱左面部５および箱右面部６のそれぞれが二重構造に組み立てられる。
【００３６】
そのほか、箱前面部３および箱後面部４には、連設方向に対して直交する方向に左糊代部９１および右糊代部９２が延出するように連設されている。
箱前面部３に対して、左糊代部９１との間に左前罫線ＬLFが設けられ、右糊代部９２との間に右前罫線ＬRFが設けられる。また、箱後面部４に対して、左糊代部９１との間に左後罫線ＬLBが設けられ、右糊代部９２との間に右後罫線ＬRBが設けられる。
【００３７】
これらの罫線ＬLF，ＬRF，ＬLB，ＬRBは、連設方向に延び、パッケージ１０に組み立てられた状態でＺ方向に沿う端縁（直方体においてＺ方向に沿う辺）をなす。
ここでは、箱底面部１または箱天面部２に連設された箱左面部５に左糊代部９１が貼合され、同様に、箱底面部１または箱天面部２に連設された箱右面部６に右糊代部９２が貼合される。
【００３８】
さらに、箱底面部１には、箱前面部３側（連設方向側）に向けて凸の曲線状をなすヒンジ罫線Ｒが設けられている。このヒンジ罫線Ｒと連続するようにして、箱左面部５および箱右面部６のそれぞれに切込部Ｃが設けられている。
箱天面部２には、箱後面部４に向けて凸の仮想的な曲線上にジッパ部Ｊが断続的に切り込まれ、このジッパ部Ｊよりも箱後面部４側に穴部Ｈが形成されている。
ジッパ部Ｊに対して箱後面部４と反対側には、蓋天面部３２のうち内側のシート材をなす内面部３２１が配置される。この内面部３２１は、外面部３２０の内側に貼合される。
【００３９】
［２．作用および効果］
本実施形態のパッケージ１０は、上述のように構成されるため、以下のような作用および効果を得ることができる。
（１）仮に、本体部と蓋部とを連設するヒンジ罫線が直線状に設けられる場合には、蓋部の閉じ方向への反発力が確保されず、パッケージの開口を閉鎖し難いという課題が挙げられる。
これに対し、ヒンジ罫線Ｒは、Ｘ1方向（Ｘ方向）に凸の曲線状に設けられることにより、直線状のヒンジ罫線と比べて、本体底面部２１に対して蓋底面部３１を開状態から閉状態へ付勢する反発力を確保することができる。そのため、直線状のヒンジ罫線が設けられたパッケージよりも、蓋部３０で開口９を閉じやすくすることができる。
【００４０】
（２）仮に、本体部と蓋部とが重合する領域において箱天面部の全てに面部が延在する場合には、蓋天面部を把持する指が箱天面部に干渉するため、蓋部を把持しづらく、パッケージを開封しにくいという課題が挙げられる。
これに対し、閉状態において蓋天面部３２で被覆される穴部Ｈが箱天面部２に設けられることから、未開封状態のパッケージ１０を開封するときに、たとえばユーザの指を穴部Ｈに滑り込ませることができ、蓋天面部３２を把持する指が箱天面部２に対する干渉が抑えられる。このような蓋部３０の把持性の向上により、パッケージ１０を開封しやすくすることができる。
さらに、ジッパ部ＪよりもＸ2方向側に穴部Ｈが配置されることから、蓋天面部３２を把持する指への干渉が更に抑えられ、パッケージ１０の開封性を高めることができる。
【００４１】
また、穴部Ｈよりもジッパ部ＪのほうがＸ1方向側に配置されることから、ジッパ部Ｊにおいてパッケージ１０を開封するときに破断されるつなぎＪ0の位置もＸ1方向側に配置される。このような配置により、ジッパ部ＪのつなぎＪ0を容易に破断することができ、パッケージ１０の開封性を向上させることができる。
そのほか、穴部ＨのＸ2方向側に直線部Ｓの輪郭がＹ方向に沿って設けられることから、Ｘ2方向側に凸の曲線状の輪郭に比べて、本体天面部２２によって物品が覆われる面積を抑えることができる。よって、開状態のパッケージ１０において物品を取り出しやすくすることができる。
【００４２】
（３）仮に、本体天面部においてジッパ部の延在方向の端縁部が直線状である場合には、本体天面部によって物品が覆われる面積を抑えにくく、物品の取出性を低下させるという課題が挙げられる。
これに対し、ジッパ部Ｊは、箱天面部２における端縁部２Ｅから中央部２Ｃに向かうにつれてＸ2方向側に位置する曲線状をなすことから、端縁部がＹ方向に沿う直線状のジッパ部と比べて、本体天面部２２によって物品が覆われる面積を抑えることができる。よって、開状態のパッケージ１０において、物品を取り出しやすくすることができる。
【００４３】
仮に、ジッパ部がＹ方向に沿って延びる直線部の全てが蓋部と摺接する場合には、蓋部を回動させるときの負荷が高まり、開口を開閉させ難い。
これに対し、ジッパ部ＪにおけるＹ方向の端部ＰのＸ方向位置は、回動する蓋部３０と摺接する位置に設定される。すなわち、ジッパ部Ｊのうち端部Ｐは蓋部３０と摺接するものの、他の部位は蓋部３０と摺接しない。よって、直線部をもつジッパ部と比べて、開口９の開閉性を高めることができる。
更に言えば、ジッパ部Ｊの端部Ｐだけが蓋部３０に摺接することから、蓋部３０の開閉動作にかかる負荷を抑えつつ、蓋部３０の開閉を安定させることができる。
【００４４】
［ＩＩ．その他］
上述した実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
たとえば、ヒンジ罫線は、Ｘ1方向に凸の曲線状に限らず、Ｘ2方向（Ｘ方向）に凸の曲線状であってもよい。
【００４５】
また、箱天面部に設けられた穴部は、閉状態で蓋部に被覆される箇所であれば、任意の箇所に配置することができる。
そのほか、ジッパ部は、箱天面部が少なくとも断続的に切り込まれていればよく、破断される向きの設定は必須ではない。あるいは、箱左面部や箱右面部の切込部に破断される向きが設定されてもよい。
なお、上述したシート材に限らず、パッケージに組み立てられるのであれば、他の展開パターンをなすさまざまなシート材を用いることができる。
【符号の説明】
【００４６】
１    箱底面部
２    箱天面部
２Ｃ    中央部
２Ｅ    端縁部
３    箱前面部
４    箱後面部
５    箱左面部
６    箱右面部
９    開口
１０    パッケージ
１０Ｓ    シート材
２０    本体部
２１    本体底面部
２２    本体天面部
２４    本体後面部
２５    本体左面部
２６    本体右面部
３０    蓋部
３１    蓋底面部
３２    蓋天面部
３３    蓋前面部
３５    蓋左面部
３６    蓋右面部
９１    左糊代部
９２    右糊代部
３２０    外面部
３２１    内面部
Ｃ    切込部
Ｃ0    つなぎ
Ｈ    穴部
Ｊ    ジッパ部
Ｊ0    つなぎ
ＬBU，ＬBD，ＬFD，ＬFU，ＬLF，ＬRF，ＬLB，ＬRB，ＬLD，ＬRD，ＬLU，ＬRU，ＬLU2，ＬRU2    罫線
Ｐ    端部
Ｒ    ヒンジ罫線
Ｒｃ    中心部
Ｒｅ    端部
Ｓ    直線部
【図１】
2019206354.tif 000003
【図２】
2019206354.tif 000004
【図３】
2019206354.tif 000005